(57)【特許請求の範囲】
【請求項１】
給油ポイントを有する複数の計量機と各種データを送受信して複数の計量機の状態を管理する給油所管理システムにおいて、
前記複数の計量機のレイアウトを設定するための計量機レイアウト設定手段と、
前記計量機レイアウト設定手段により設定されたレイアウトに対応した配置で当該複数の計量機のアイコンを表示すると共に、当該各計量機の給油ポイントでの状態及び給油データを当該各計量機と当該各給油ポイントとの位置関係に対応させて当該各計量機のアイコンの位置に応じた箇所に表示させるデータ表示手段を備えてなることを特徴とする給油所管理システム。
【請求項２】
前記計量機レイアウト設定手段は、
前記複数の計量機のレイアウトを行と列の数値により設定することを特徴とする請求項１に記載の給油所管理システム。
【発明の詳細な説明】
【０００１】
【発明の属する技術分野】
本発明は給油所管理システムに係り、特に省人化した給油所の管理に好適な給油所管理システムに関する。
【０００２】
【従来の技術】
例えば、給油所等には複数の計量機が設置されている。そして、各計量機には、レギュラーガソリン用、ハイオクガソリン用、軽油用の各給油ノズルが設けられている。
このような給油所では、給油を行うため顧客の自動車が到着すると、その運転者自身が自分でエンジン仕様に応じた油種の給油ノズルを燃料タンクの給油口に挿入して地下タンクに貯蔵された油液を燃料タンクに給油する所謂セルフ給油を行うことが検討されている。
【０００３】
給油所において、セルフ給油が実施されるようになると、給油所に入場した運転者は作業員の誘導なしに計量機の給油エリアに移動し、自動車を計量機の前で停車させ、運転者自身が給油作業を行う。そして、各計量機は、ＰＯＳシステムにより管理されており、自動車の油種の給油ノズルをノズル掛けから外すと当該計量機が「給油中」となり、給油が終了して給油ノズルをノズル掛けに戻すと「給油終了」となる。
【０００４】
また、ＰＯＳシステムでは、給油所の事務所等に設置されたＰＯＳ端末機より給油量、給油油種、給油料金等の給油データが記載された伝票を給油料金の精算の為に発行させており、給油終了後に計量機からＰＯＳ端末機へ給油データが送信されると、自動的に伝票が発行されるようになっている。
そして、給油が終了すると、顧客は事務所内で伝票に記載された給油料金を支払って給油所を退場する。
【０００５】
【発明が解決しようとする課題】
しかしながら、上記のように伝票に記載された給油ポイントの番号と顧客が実際に給油を行った給油ポイントの位置とを一致させることが難しく、精算するときその場で給油ポイントを確認するには、給油所の全給油ポイントを把握しておく必要があるので、経験の浅い作業者では対応できないこともあった。
【０００６】
また、ＰＯＳシステム等の通信制御手段が導入された給油所では、例えば特開昭６１−１４２１９３号公報、あるいは特開平５−１６２７９３号公報に見られるように一の表示装置に複数の給油ポイントの給油データを表示させる監視システムが採用されつつある。しかしながら、この種の監視システムでは、各計量機の動作状態を表示しているだけであり、各計量機毎に設定された複数の給油ポイントの夫々の状況を個別に表示していないため、実際の各給油ポイントに対して各計量機のデータを結びつけるには各給油ポイントの配置等の知識と経験が必要であり、直感的に各給油ポイントの番号あるいは記号と給油データとを対応させて考えることが難しく、各計量機と表示装置に表示された給油データとを一致させて考えるには経験を要する。
【０００７】
そこで、給油所に設置された各計量機の配置パターン（レイアウト）をディスプレイに表示させて各給油ポイントの位置を分かりやすくする方法が検討されている。しかしながら、このレイアウト表示方法の場合、各給油所毎に各計量機の配置パターン（レイアウト）が異なるため、個別に表示システムを制作しなければならず、制作工数が増大すると共に、制御システムの管理が煩雑となるといった問題がある。また、各計量機のレイアウトが変更になった場合、ディスプレイに表示される各計量機の配置を簡単に変更できないといった問題もある。
【０００８】
さらに、従来の計量機の中には、例えば計量機の側面に設けられた給油ノズルが計量機の前面側と後面側の両方に移動可能な構成である場合には、一の給油ノズルが両側の給油ポイントで給油可能である。この種の計量機では、両側の給油ポイントで管理する場合、共用の給油ノズルをどちらの側で管理するのか、また共用の給油ノズルをどちらか一方の側とした場合、他方の側で給油できないので、この管理をどうするのかといった問題がある。
【０００９】
また、給油ノズル毎に管理する場合、給油ポイントとの関連付けが難しくなる。特にセルフ給油の場合、顧客自身が給油作業を行うため、設定器及び計量機を顧客が操作しやすいように配置する必要がある。このため、給油所管理システムにおいては、各給油ポイント毎に管理しなければならない。
ところが、各計量機の複数の給油ポイントを監視する従来の方法では、上記のような両側で共用可能な給油ノズルに対し複数の給油ポイントで重複して給油設定が行われる場合がある。しかしながら、セルフ給油へ移行する際には、一の給油ノズルに対し一の給油ポイントしか設定されないため、一の給油ノズルで複数の給油ポイントでの給油が可能な計量機ではセルフ給油に対応できないといった問題が生じる。
【００１０】
そこで、本発明は上記課題を解決し、セルフ給油を導入する給油所内における事務処理を向上し得る給油所管理システムを提供することを目的とする。
【００１１】
【課題を解決するための手段】
本発明は上記課題を解決するため、以下のような特徴を有する。
上記請求項１記載の発明は、給油ポイントを有する複数の計量機と各種データを送受信して複数の計量機の状態を管理する給油所管理システムにおいて、
前記複数の計量機のレイアウトを設定するための計量機レイアウト設定手段と、
前記計量機レイアウト設定手段により設定されたレイアウトに対応した配置で当該複数の計量機のアイコンを表示すると共に、当該各計量機の給油ポイントでの状態及び給油データを当該各計量機と当該各給油ポイントとの位置関係に対応させて当該各計量機のアイコンの位置に応じた箇所に表示させるデータ表示手段を備えてなることを特徴とするものである。
【００１２】
従って、上記請求項１記載の発明によれば、複数の計量機のレイアウトを設定するための計量機レイアウト設定手段により設定されたレイアウトに対応した配置で当該複数の計量機のアイコンを表示すると共に、当該各計量機の給油ポイントでの状態及び給油データを当該各計量機と当該各給油ポイントとの位置関係に対応させて当該各計量機のアイコンの位置に応じた箇所に表示させるため、各計量機の各給油ポイントの状態をどこに表示させるのかなどの設定作業を簡略化することができ、経験の浅い作業者でも容易に各計量機と表示された給油データとを一致させて考えることができ、給油料金の精算を能率良く行うことができる。
また、上記請求項２記載の発明は、前記計量機レイアウト設定手段は、前記複数の計量機のレイアウトを行と列の数値により設定することを特徴とするものである。
【００１３】
従って、上記請求項２記載の発明によれば、複数の計量機のレイアウトを行と列の数値により設定するため、経験の浅い作業者でも容易に各計量機と表示された給油データとを一致させて考えることができると共に、複数の計量機のレイアウトが変更された場合でも容易に表示例を変更することが可能となる。
【００１６】
【発明の実施の形態】
以下、図面と共に本発明の実施の形態について説明する。
図１は本発明になる給油所管理システムの一実施例を示す構成図である。
本発明の給油所管理システムが用いられた給油所には、セルフ給油用の複数の計量機１１1 〜１１n と、各計量機１１1 〜１１n の給油処理を設定するセルフサービスユニット１２1 〜１２n と、各計量機１１1 〜１１n 及びセルフサービスユニット１２1 〜１２n の給油データ及び設定データを管理するＰＯＳ端末機１３と、各計量機１１1 〜１１n 及びセルフサービスユニット１２1 〜１２n とＰＯＳ端末機１３との通信を行う計量機制御装置１４とが設置されている。
【００１７】
ＰＯＳ端末機１３及び計量機制御装置１４は、給油所の事務所内に設置されている。また、ＰＯＳ端末機１３は、各給油ポイントで給油が完了すると、給油量、油種、単価及び給油料金を印字した伝票を発行させる。
図２は計量機制御装置１４の構成を示すブロック図である。
図２に示されるように、計量機制御装置１４は、各計量機１１1 〜１１n 及びセルフサービスユニット１２1 〜１２n からの給油データを管理する演算装置１５と、ＬＣＤ又はＣＲＴディスプレイよりなる表示装置１６と、表示装置１６の画面上に設けられたタッチパネル等からなる入力装置１７と、磁気ディスク装置等からなる記憶装置１８と、シリアル通信インターフェイス１９と、パラレル入出力インターフェイス２０とから構成されている。
【００１８】
また、計量機制御装置１４は、ＰＯＳ端末機１３と通信ケーブルにより接続されており、各計量機１１1 〜１１n 及びセルフサービスユニット１２1 〜１２n からの給油データをＰＯＳ端末機１３に送信すると共に、ＰＯＳ端末機１３からの信号（給油許可信号等）を各計量機１１1 〜１１n 及びセルフサービスユニット１２1 〜１２n へ送信する。
【００１９】
また、記憶装置１８には、複数の計量機１１1 〜１１n のレイアウトに対応した配置で各給油ポイントでの状態及び給油データを表示させるデータ表示プログラム（データ表示手段）と、表示装置１６に表示される各計量機１１1 〜１１n のレイアウトを行と列の数値により設定する計量機レイアウト設定プログラム（計量機レイアウト設定手段）と、表示装置１６に表示されるレイアウト画像が登録されたレイアウトテーブルとが記憶されている。
【００２０】
図３はセルフサービスユニット１２の構成を示すブロック図である。
図３に示されるように、各計量機１１1 〜１１n 毎に設けられたセルフサービスユニット１２1 〜１２n は、夫々同一構成である。このセルフサービスユニット１２は、給油条件（油種、給油量、支払い方法等）の設定を行う設定器２１と、簡易伝票を発行するプリンタ２２と、各計量機１１1 〜１１n の状態を表示するランプ２３と、給油所の係員と連絡を取るためのインターフォン２４とから構成される。セルフサービスユニット１２1 〜１２n は、夫々設定器２１、上記プリンタ２２、ランプ２３、インターフォン２４が一対ずつ設けられている。
【００２１】
ここで、図３において、セルフサービスユニット１２が同一筐体内に２セットずつ設けられているのは、通常１台の計量機１１の両側で給油できるので、１台の計量機１１に対し、２箇所の給油ポイントを設定することが可能であり、各給油ポイント毎に設定器２１等の機器を設ける必要があるからである。また、設定器２１はシリアル通信インターフェイスを有し、計量機制御装置１４と給油所内の各機器を接続する。また、インターフォン２４は、インターフォン親機（図示せず）に接続されている。
【００２２】
図４は給油所に設置された複数の計量機のレイアウトの一例を表示装置１６に表示されるレイアウト画像の一例を示した図である。
図４に示されるように、表示装置１６に表示されるレイアウト画像２５では、実際の計量機１１1 〜１１4 の配置パターンに合わせて２行２列のレイアウトで表示される。また、表示装置１６に表示される各計量機１１1 〜１１4 のアイコンＡ１は、ほぼ実際の計量機を上方からみた形状で表示される。そして、各計量機１１1 〜１１4 の両側には、車両が停車して給油を行える給油ポイントが２つずつ設けられている。従って、各計量機１１1 〜１１4 のアイコンＡ１の両側には、給油ポイントNo.1〜No.8が設定され、各給油ポイントNo.1〜No.8に対応する番号１〜８も表示される。
【００２３】
また、表示装置１６には、各給油ポイントNo.1〜No.8毎に各計量機１１1 〜１１4 の状態（給油中、待機中、停止中等）を知らせる状態表示Ａ２や、車両への給油油種、給油量等）を知らせる給油状況Ａ３が表示される。このように、表示装置１６の表示により各給油ポイントNo.1〜No.8毎の状態を一目で把握することができる。
【００２４】
尚、上記表示装置１６の表示例では、給油ポイントNo.9が灯油の給油が行えるように灯油専用計量機のアイコンＡ４が表示されている。さらに、各計量機１１1 〜１１4 の状態に応じて表示色を変更することにより、一層分かりやすくなり、間違えにくい表示内容とすることができる。
また、本実施例では、計量機制御装置１４が同一の給油ポイントに対して最大３データまで表示されるように管理することができるように設定されている。例えば、給油後タッチアップエリアなどへ移動して何らかの作業を行い精算が遅れた場合でも、その給油ポイントで次の顧客が給油可能となる。本システムでは、同様にその次の３人目まで給油可能となっている。
【００２５】
ここで、本実施例におけるセルフサービス給油の操作手順について説明する。
図５はセルフ給油を行う場合の各機器間での給油操作手順を説明するためのフローチャートである。
図５に示されるように、給油所に到着した顧客は、（動作１０）で給油ポイントNo.1〜No.8のなかで空いている給油ポイントへ移動する。そして、空いている給油ポイントに車両を停車させる。次の（動作１１）では、給油ポイントに設置されたセルフサービスユニット１２の設定器２１を用いて給油する油種、給油量、支払い方法等の給油条件を設定する。
【００２６】
次の（動作１２）では、設定終了後、顧客自身が計量機１１から給油ノズルを外し、車両の給油口に給油ノズルの吐出パイプを挿入させる。そして、（動作１３）では、給油を終了し、計量機１１に給油ノズルを戻す。
また、顧客は、（動作１４）でプリンタ２２から発行された仮伝票を持って、精算所に行き、給油料金の精算を行う。そして、（動作１５）で顧客は給油所から退場する。
【００２７】
上記顧客の（動作１０〜１５）に連動してセルフサービスユニット１２は、以下のような処理を実行する。
すなわち、セルフサービスユニット１２は、顧客が給油ポイントに入ると、Ｓ１１で設定開始待ちの待機モードとなる。これは、何らかの車両検知装置を計量機１１に備え、その信号をセルフサービスユニット１２が受け取っても良いが、前に給油した車両が給油ポイントを離れた時点で設定待ちになっても良い。
【００２８】
また、顧客が設定操作を終了したら、Ｓ１２で設定値を制御装置に送信する。
プリンタ２２は、Ｓ１３で制御装置の印字命令を受け、設定されたフォーマットに従って、伝票番号等を印字した仮伝票を発行する。
また、上記顧客の（動作１０〜１５）に連動してＰＯＳ端末機１３は、以下のような処理を実行する。すなわち、ＰＯＳ端末機１３は、Ｓ１４でセルフサービスユニット１２の設定器２１から各種設定が送信されると、計量機１１に給油許可を与える。尚、計量機１１に供給される給油許可は、ＰＯＳ端末機１３から出力させても良いし、あるいは計量機制御装置１４から出力させるようにすることもできる。
【００２９】
次のＳ１５は、計量機１１から給油終了及び給油量が送信されると、合計金額を演算する。そして、Ｓ１６には、プリンタに金額、伝票番号等を送信し、印字を命令する。
一方、計量機では、Ｓ１７でＰＯＳ端末機１３から給油許可が下りると、給油開始から待ち時間に入る。また、Ｓ１８では、顧客が給油を開始すると、ポンプを作動させ、燃料が給油ノズルから車両の燃料タンクへ給油される。次のＳ１９では、顧客が給油を終了すると、ポンプを停止させ、制御装置に給油の終了と給油量を送信する。
【００３０】
また、給油が終了すると、顧客は、セルフサービスユニット１２のプリンタ２２から給油ポイント番号又は計量機番号、追番号（伝票番号）、日時、油種、給油量、給油金額等の給油データが表示された仮伝票を取り、事務所内の精算所に移動する。これで、セルフ給油を行う場合の動作手順が終了する。
セルフサービスユニット１２の設定器２１により入力された設定内容は、同時に計量機制御装置１４の表示装置１６に表示される。そのため、給油所の係員は、給油所の事務所に設置された計量機制御装置１４の表示装置１６により、各計量機１１1 〜１１4 の設定の有無及び設定内容を確認することができる。
【００３１】
また、給油所の係員は、給油客から仮伝票を受け取り、その内容に該当するデータを計量機制御装置１４の表示装置１６に表示された画面上から選択し、入力装置１７により精算の操作を行う。これで、給油データは、計量機制御装置１４からＰＯＳ端末機１３に送信される。これにより、ＰＯＳ端末機１３のプリンタ（図示せず）から伝票が発行され、給油代金と引換えに伝票を顧客に渡す。
【００３２】
このようにして給油操作及び給油代金の精算を行う際、計量機制御装置１４の表示装置１６には、図４に示すような実際に各計量機１１1 〜１１4 の配置パターンとほぼ同じレイアウトで各計量機１１1 〜１１4 のアイコンＡ１が表示されると共に、各給油ポイント毎に状態表示Ａ２や、車両への給油状況Ａ３が表示されるので、簡易伝票に記載された給油ポイントの給油データ（油種、給油量等）を簡単に確認することができる。また、給油所の各計量機１１の状態を計量機制御装置１４の表示装置１６に表示されたレイアウト画像２５により各給油ポイントの状況を監視することができる。
【００３３】
次に、図４に示されるように計量機制御装置１４の表示装置１６に表示される画像を給油所に設置された各計量機１１1 〜１１4 の実際の配置とほぼ同じようなレイアウトで各計量機１１1 〜１１4 のアイコンをグラフィック化して表示させる設定方法について説明する。
本実施例では、各計量機１１1 〜１１4 のレイアウトを表示させる際の操作方法として、各計量機１１のレイアウトを行と列とに分類してその数値を入力することにより、「ｎ行×ｎ列」といった具合に設定する。
【００３４】
図６は表示装置１６に表示されるレイアウト設定画面の表示例を示す図である。
図６に示されるように、レイアウト設定画面２６には、行数入力エリア２７、行数変更釦２８、列数入力エリア２９、列数変更釦３０、灯油計量機入力エリア３１、灯油計量機変更釦３２、プレビューエリア３３、リセット釦３４、設定釦３５、キャンセル釦３６が表示される。
【００３５】
計量機のレイアウトを入力する際は、まず、行数入力エリア２７に数値を入力するか、あるいは行数変更釦２８をクリックすることにより入力可能な行数値の一覧が表示されるので、この中から対応する数値を選択することにより行数を入力できる。
次に列数入力エリア２９に数値を入力するか、あるいは列数変更釦３０を押すことにより入力可能な列数値の一覧が表示されるので、この中から対応する数値を選択することにより列数を入力できる。
【００３６】
このように行数と列数を入力した後、入力された数値がプレビューエリア３３に表示されるので、入力された数値が正しいことを確認する。そして、設定釦３５が押されると、計量機レイアウトの設定が今回入力されたレイアウトに更新される。尚、現在の設定値（更新前の設定値）に戻して確認したいときは、リセット釦３４を押すことにより現在の設定値に戻った状態で行数入力エリア２７、列数入力エリア２９、プレビューエリア３３が表示される。
【００３７】
また、レイアウトの変更をキャンセルしたいときは、キャンセル釦３６を押すことにより変更内容を破棄して環境設定機能を中止できる。
図７は表示装置１６のレイアウト変更操作処理を説明するためのフローチャートである。
計量機制御装置１４の演算装置１５は、図７に示すＳ２１において、前述したレイアウト設定画面２６の行数入力エリア２７又は行数変更釦２８で計量機１１の「行数」としての数値ｎが入力されると、Ｓ２２で「ｎ行」を設定する。そして、Ｓ２３において、レイアウト設定画面２６の列数入力エリア２９、列数変更釦３０で計量機１１の「列数」としての数値ｎが入力されると、Ｓ２４で「ｎ列」を設定する。
【００３８】
次のＳ２５では、各レイアウトの画像が登録されたレイアウトテーブルを記憶装置１８から読み出し、上記にように設定された「ｎ行×ｎ列」と計量機１１のレイアウト画像とを照合する。そして、設定値「ｎ行×ｎ列」と一致するレイアウト画像が抽出されると、Ｓ２７に進み、設定されたレイアウト画像をプレビューエリア３３に表示させる。例えば４台の計量機１１が２行２列で設置されている場合、設定値「２行×２列」を入力することにより、前述した図４に示すようなレイアウト画像２５が表示される。
【００３９】
次のＳ２８では、表示装置１６に表示されたレイアウト画像が当該給油所に実際に設置されている計量機１１のレイアウトとほぼ一致しているかどうかを確認する。Ｓ２８において、表示装置１６に表示されたレイアウト画像が実際のレイアウトと一致しないときは、キャンセル釦３６を押して上記Ｓ２１に戻り、Ｓ２１以降の処理をやり直す。また、Ｓ２８において、表示装置１６に表示されたレイアウト画像が実際のレイアウトと一致したときは、設定釦３５を押して今回のレイアウト変更処理を終了する。
【００４０】
このように、当該給油所に実際に設置されている計量機１１のレイアウトに対応する「ｎ行×ｎ列」の数値を入力するだけで自動的に実際に設置されている計量機１１のレイアウト画像が表示装置１６に表示される。そのため、当該給油所の計量機１１の配置を変えるときでも、表示装置１６のレイアウト画像を簡単に変更して給油所の設備改造に対応することができる。
【００４１】
図８乃至図１８は表示装置１６に表示されるレイアウト画像の表示例１〜１１を示す図である。
図８（Ａ）（Ｂ）に示されるように、計量機１１が１台設置されている場合、レイアウト設定値が「１行×１列」となり、表示装置１６には計量機１１のアイコンＡ１（図８中、黒い長方形で示す）が画面中央に表示される。そして、計量機１１のアイコンＡ１の両側の給油ポイントには、計量機１１の状態表示Ａ２や、車両への給油状況Ａ３が表示される。
【００４２】
図９（Ａ）（Ｂ）に示されるように、計量機１１が２台平行に設置されている場合、レイアウト設定値が「１行×２列」となり、表示装置１６には計量機１１のアイコンＡ１が２個平行に表示される。そして、各計量機１１の各アイコンＡ１の両側の給油ポイントには、各計量機１１の状態表示Ａ２や、車両への給油状況Ａ３が表示される。
【００４３】
図１０（Ａ）（Ｂ）に示されるように、計量機１１が３台平行に設置されている場合、レイアウト設定値が「１行×３列」となり、表示装置１６には計量機１１のアイコンＡ１が３個平行のレイアウトで表示される。そして、計量機１１の各アイコンＡ１の上下の給油ポイントには、計量機１１の状態表示Ａ２や、車両への給油状況Ａ３が表示される。
【００４４】
図１１（Ａ）（Ｂ）に示されるように、計量機１１が４台設置されている場合、レイアウト設定値が「１行×４列」となり、表示装置１６には計量機１１のアイコンＡ１が４個平行のレイアウトで表示される。そして、計量機１１のアイコンＡ１の上下には、各給油ポイントにおける計量機１１の状態表示Ａ２や、車両への給油状況Ａ３が表示される。
【００４５】
図１２（Ａ）（Ｂ）に示されるように、計量機１１が５台平行に設置されている場合、レイアウト設定値が「１行×５列」となり、表示装置１６には計量機１１のアイコンＡ１が５個平行のレイアウトで表示される。そして、各計量機１１の各アイコンＡ１の上下には、各給油ポイントにおける各計量機１１の状態表示Ａ２や、車両への給油状況Ａ３が表示される。
【００４６】
図１３（Ａ）（Ｂ）に示されるように、計量機１１が６台平行に設置されている場合、レイアウト設定値が「１行×６列」となり、表示装置１６には計量機１１のアイコンＡ１が６個平行のレイアウトで表示される。そして、計量機１１の各アイコンＡ１の上下には、各給油ポイントにおける計量機１１の状態表示Ａ２や、車両への給油状況Ａ３が表示される。
【００４７】
図１４（Ａ）（Ｂ）に示されるように、計量機１１が２台直列に設置されている場合、レイアウト設定値が「２行×１列」となり、表示装置１６には計量機１１のアイコンＡ１が２個直列のレイアウトで表示される。そして、各計量機１１の各アイコンＡ１の両側の給油ポイントには、各計量機１１の状態表示Ａ２や、車両への給油状況Ａ３が表示される。
【００４８】
図１５（Ａ）（Ｂ）に示されるように、計量機１１が４台設置されている場合、レイアウト設定値が「２行×２列」となり、表示装置１６には計量機１１のアイコンＡ１が２×２のレイアウトで表示される。そして、計量機１１の各アイコンＡ１の両側の給油ポイントには、計量機１１の状態表示Ａ２や、車両への給油状況Ａ３が表示される（図４参照）。
【００４９】
図１６（Ａ）（Ｂ）に示されるように、計量機１１が６台設置されている場合、レイアウト設定値が「２行×３列」となり、表示装置１６には計量機１１のアイコンＡ１が２×３のレイアウトで表示される。そして、計量機１１のアイコンＡ１の両側には、各給油ポイントにおける計量機１１の状態表示Ａ２や、車両への給油状況Ａ３が表示される。
【００５０】
図１７（Ａ）（Ｂ）に示されるように、計量機１１が３台直列に設置されている場合、レイアウト設定値が「３行×１列」となり、表示装置１６には計量機１１のアイコンＡ１が３個直列のレイアウトで表示される。そして、各計量機１１の各アイコンＡ１の両側には、各給油ポイントにおける各計量機１１の状態表示Ａ２や、車両への給油状況Ａ３が表示される。
【００５１】
図１８（Ａ）（Ｂ）に示されるように、計量機１１が６台設置されている場合、レイアウト設定値が「３行×２列」となり、表示装置１６には計量機１１のアイコンＡ１が３×２のレイアウトで表示される。そして、計量機１１の各アイコンＡ１の両側には、各給油ポイントにおける計量機１１の状態表示Ａ２や、車両への給油状況Ａ３が表示される。
【００５２】
尚、上記図８乃至図１８に示すレイアウト以外も上記表示例と同様に表示装置１６に表示することができ、また６台以上の計量機１１を設置する場合も同様に表示装置１６に表示することができる。
本実施例では、上記のように計量機１１のレイアウトに合わせた表示画面を容易に設定できるようにしたが、計量機１１の設置台数が増えて給油ポイントの数が増加すると、一つの給油ポイントに割り当てられる表示エリアが狭くなるので、計量機１１が少ないときと多いときで給油状況表示Ａ２を変更する必要がある。
【００５３】
図１９は標準の給油ポイント状態の表示例を示す図である。
図１９に示されるように、給油状況Ａ３には、計量機１１の状態が表示され、待機中、給油待、給油中、ポンプ停止の４つ状態を示す。また、状態表示Ａ２には、顧客の給油情報（給油データ）として伝票番号４１、油種４２、給油量４３、プリセット値４４の欄を表示する。
【００５４】
これらの給油データは、未精算の前の顧客がいる場合、未精算の給油状況Ａ４を重ねて表示する。さらに、その前の未精算の顧客がいる場合には、同様に未精算の給油状況Ａ５を重ねて表示する。これらの未精算の給油データは、伝票番号がほぼ見えるようにずらした配置で表示される。
精算時は、給油ポイントを選択することにより給油データを順次入れ換え、精算したいデータが一番上に表示されたときに精算入力を行うことにより任意の給油データの精算処理を行う。
【００５５】
この状態表示は、計量機１１の各アイコンＡ１の間隔に余裕がある場合、すなわち計量機１１のレイアウトが１行１列、１行２列、１行３列、１行４列、２行１列、２行２列の場合に選択される。
図２０は給油状況表示Ａ２の幅寸法を狭くした場合の表示例を示す。
図２０に示されるように、給油状況表示Ａ２の表示内容は上記図１７の場合と同じであるが、各アイコンＡ１の横幅の間隔が狭くなる計量機１１のレイアウトが１行５列、１行６列の場合に選択される。
【００５６】
図２１は給油状況表示Ａ２の幅寸法をさらに狭くした場合の表示例を示す。
図２１に示されるように、計量機１１の設置数の増加と共に、各アイコンＡ１の横幅の間隔がさらに狭くなると、現在給油中のデータの給油量の下に伝票番号４５，４６のみを表示させる。また、給油中のデータのプリセット値は表示されない。この状態表示は、例えば計量機１１のレイアウトが２行３列の場合に選択される。
【００５７】
図２２は標準の表示例よりも高さを低くした場合の表示例を示す。
図２２に示されるように、未精算のデータがある場合、現在給油中の伝票番号４１の下に伝票番号４４，４５のみ表示する。この状態表示は、計量機１１のレイアウトが３行１列、３行２列の場合に選択される。
このように、計量機１１のレイアウトにより表示内容を変更する機能を設けることにより表示装置１６の表示画面を有効に使用することが可能となり、特に計量機１１の設置台数が増加した場合に各アイコンＡ１の間隔が狭くなるので、それに応じて給油状況表示Ａ２の表示方法を変更させることにより全計量機１１の給油情報を漏れなく表示させることができる。
【００５８】
尚、上記説明の表示例は、一例であり、表示内容、計量機１１のレイアウトとの対応させる方法は上記説明に限らない。また、プリセット値の表示について設定から給油終了時まではプリセット値を表示させ、給油終了後は給油金額を表示させるようにしても良い。
また、本実施例では、表示装置１６の表示画面にタッチパネルを設けて入力装置１７としたが、これに限らず、キーボードやマウス等の入力装置を用いても入力することができるのは言うまでもない。
【００５９】
また、上記実施例では、セルフ給油後の支払い方法として、現金で支払うポストペイ方式でも良いし、あるいは料金先払いのプリペイドカードで支払うプリペイド方式でも良い。
また、上記実施例では、セルフ給油後に仮伝票を発行するものとしたが、仮伝票を発行しない方式でも良いし、あるいは仮伝票の代わりに番号札等を発行するようにしても良い。
【００６０】
次に上記実施例の変形例について説明する。
例えば前述した図４に示すように４台の計量機１１が設置された給油所では、各計量機１１の両側に給油ポイントを設けることができるので、合計で８台の車両に対して給油することができる。ところが、給油所管理システムでは、セルフ給油の導入と共に各給油ポイント毎に給油データを監視する方式を採っているが、計量機１１の機種によって給油ノズルが複数の給油ポイントで使用できる場合がある。そのため、給油ポイント毎に給油データを監視する方式では、対応することができない場合がある。
【００６１】
図２３は計量機１１の構成を示す平面図である。尚、図２３において、計量機１１に設けられた給油ノズルは説明の便宜上記号◎で示してある。
図２３に示されるように、計量機１１は、一面に給油油種の異なる給油ノズル５１〜５３が並設されている。各給油ノズル５１〜５３は、例えばハイオクガソリン給油用、レギュラーガソリン給油用、軽油給油用として設けられている。
【００６２】
また、計量機１１の他面にも同様に給油油種の異なる給油ノズル５４〜５６が並設されている。そして、計量機１１の近傍には、セルフサービスユニット１２が設けられている。このセルフサービスユニット１２では、前述したように計量機１１の両側の給油ポイントに対して給油データを設定できるように一対の設定器２１を有する構成とされている（図３参照）。
【００６３】
この種の計量機１１では、両側に設けられた各給油ポイントａ，ｂ毎に専用の給油ノズル５１〜５３，５４〜５６が設けられているので、各給油ポイントと給油ノズル５１〜５３，５４〜５６とが１対１で対応している。すなわち、計量機１１では、６本の給油ノズルが２つの給油系統１，２に３本ずつ分けて設けられている。よって、計量機１１の場合、給油ノズル５１〜５３，５４〜５６が他の給油ポイントと共用とされていないので、各給油ポイント毎に給油データを管理することができる。
【００６４】
図２４は他の形式の計量機を示す平面図である。尚、図２４において、各計量機に設けられた給油ノズルは説明の便宜上記号◎で示してある。
図２４（Ａ）に示されるように、計量機６１は、４本の給油ノズル６２〜６５が両側に２本ずつ設けられている。そのため、一の給油系統１に給油ノズル６２，６３が設けられ、他の給油系統２に給油ノズル６４，６５が設けられている。
【００６５】
よって、計量機６１は、上記計量機１１と同様に各給油ポイントと給油ノズル６２，６３、６４，６５とが１対１で対応している。よって、計量機６１の場合、給油ノズル６２，６３、６４，６５が他の給油ポイントと共用とされていないので、各給油ポイント毎に給油データを管理することができる。
また、図２４（Ｂ）に示されるように、計量機７１は、１本の給油ノズル７２が設けられている。この給油ノズル７２は左右の給油ポイントａ，ｂで共用される。
【００６６】
これに対し、計量機７１の両側に設けられた給油ポイントａ，ｂ毎に設定器２１が設けられるため、一方の設定器２１で給油データが設定された場合には、他方の設定器２１を使用できないように設定する必要がある。
また、図２４（Ｃ）に示されるように、計量機８１は、４つの給油系統と４つの給油ノズル８２〜８５が設けられている。そして、計量機８１の左右両側には夫々給油ポイントａ，ｂが設定されている。また、給油ノズル８２〜８５は、計量機８１の４方向の異なる側面に設けられている。そのため、給油ノズル８２と８５は左右の給油ポイントで共用とされ、給油ノズル８３と８４は夫々給油ポイント専用である。
【００６７】
従って、給油ノズル８２又は８５が一方の給油ポイントａで給油データが設定された場合、他方の給油ポイントｂでの給油ノズル８２又は８５の使用を禁止する必要がある。
また、図２４（Ｄ）に示されるように、計量機９１は、４つの給油系統と６つの給油ノズル９２〜９７が設けられている。そして、計量機９１の左右両側には夫々給油ポイントａ，ｂが設定されている。計量機９１では、４つの給油系統を有するものの各給油ポイントａ，ｂ毎に専用の給油ノズル９２〜９４，９５〜９７が設けられているので、各給油ポイントａ，ｂと給油ノズル９２〜９４，９５〜９７とが１対１で対応している。よって、計量機９１の場合、給油ノズル９２〜９４，９５〜９７が他の給油ポイントと共用とされていないので、各給油ポイントａ，ｂ毎に給油データを管理することができる。
【００６８】
また、図２４（Ｅ）に示されるように、計量機１０１は、２つの給油系統と２つの給油ノズル１０２，１０３が設けられている。そして、計量機１０１の左右両側には夫々給油ポイントが設定されている。また、給油ノズル１０２，１０３は、左右の給油ポイントａ，ｂで共用とされる。
従って、給油ノズル１０２又は１０３が一方の給油ポイントａで給油データが設定された場合、他方の給油ポイントｂでの給油ノズル１０２又は１０３の使用を禁止する必要がある。
【００６９】
図２５は計量機と設定器との関係をセルフサービスユニット１２で管理するデータを示す図である。
図２５に示されるように、設定器２１のデータファイル１０５及び計量機１１のデータファイル１０６は、接続台数分用意されている。設定器２１のデータファイル１０５は、給油ポイントと油種からなり、油種の中に計量機１１とノズル番号が収録されている。従って、設定器２１と油種が確定すれば、計量機１１と油種も確定するようになっている。
【００７０】
各計量機１１が給油系統毎に独立しているため、計量機１１のデータファイル１０６も給油系統毎に独立して設けられている。データファイル１０６では、給油ノズルがどの設定器２１に接続可能かを分類しており、設定器２１と給油ポイントが１対１で対応しているため、給油ノズルが確定する。そして、設定器２１による設定が完了すると、計量機１１の構成に応じて共用ノズルについての設定禁止する設定器２１も判別することができる。
【００７１】
図２６は変形例のセルフサービスユニット１２で実行される制御処理を説明するためのフローチャートである。
図２６に示されるように、Ｓ３１では設定器２１による設定が完了すると、設定完了後の複数の給油ポイントを有する給油ノズルに関する処理が開始される。次のＳ３２では、設定が完了した設定器番号より計量機、給油ノズル、給油ポイントを特定する。
【００７２】
続いて、Ｓ３３では、上記Ｓ３２で特定した給油ノズルが給油可能な設定器番号を一つづつ抽出する。そして、Ｓ３４では、上記Ｓ３３で抽出した設定器番号が設定を完了した設定器番号かどうかを比較する。Ｓ３４において、Ｓ３３で抽出した設定器番号が設定を完了した設定器番号と同一でないときは、Ｓ３５に進み、同一であるときはＳ３６に進む。
【００７３】
Ｓ３５では、上記Ｓ３３で抽出した設定器番号がすでに設定完了しているため、当該設定器２１の設定油種を設定禁止にする。これにより複数の給油ポイントを共用する給油ノズルが他の給油ポイントで給油データが設定されることが防止される。
次のＳ３６では、上記Ｓ３３で抽出した設定器番号が未設定であるので、抽出すべき他の設定器番号の有無を確認する。そして、Ｓ３６において、Ｓ３３で抽出すべき他の設定器番号があるときは、前述したＳ３３に戻り、Ｓ３３以降の処理を繰り返す。
【００７４】
しかし、Ｓ３６において、Ｓ３３で抽出すべき他の設定器番号がないときは、Ｓ３７に進み、計量機制御装置１４の表示装置１６に該当する給油ポイントに設定油種を表示すると共に、「給油待ち」のメッセージを表示させる。
このように、複数の給油ポイントで共用される給油ノズルに給油データが設定された場合、他の給油ポイントで当該給油ノズルへの設定が不可能となり、複数の給油ポイントで同一の給油ノズルに対して給油データが重複して設定されることが防止される。
【００７５】
尚、上記実施例では、地上設置型の給油装置を一例として挙げたが、これに限らず、例えば給油ノズルを昇降させる懸垂式給油装置にも適用できるのは勿論である。
【００７６】
【発明の効果】
上述の如く、請求項１記載の発明によれば、複数の計量機のレイアウトを設定するための計量機レイアウト設定手段により設定されたレイアウトに対応した配置で当該複数の計量機のアイコンを表示すると共に、当該各計量機の給油ポイントでの状態及び給油データを当該各計量機と当該各給油ポイントとの位置関係に対応させて当該各計量機のアイコンの位置に応じた箇所に表示させるため、各計量機の各給油ポイントの状態をどこに表示させるのかなどの設定作業を簡略化することができ、経験の浅い作業者でも容易に各計量機と表示された給油データとを一致させて考えることができ、給油料金の精算を能率良く行うことができる。
【００７７】
また、上記請求項２記載の発明によれば、複数の計量機のレイアウトを行と列の数値により設定するため、経験の浅い作業者でも容易に各計量機と表示された給油データとを一致させて考えることができると共に、複数の計量機のレイアウトが変更された場合でも容易に表示例を変更することが可能となる。
【図面の簡単な説明】
【図１】本発明になる給油所管理システムの一実施例を示す構成図である。
【図２】計量機制御装置の構成を示すブロック図である。
【図３】セルフサービスユニットの構成を示すブロック図である。
【図４】給油所に設置された複数の計量機のレイアウトの一例を表示装置に表示されるレイアウト画像の一例を示した図である。
【図５】セルフ給油を行う場合の各機器間での給油手順を説明するためのフローチャートである。
【図６】表示装置に表示されるレイアウト設定画面の表示例を示す図である。
【図７】表示装置のレイアウト変更処理を説明するためのフローチャートである。
【図８】表示装置に表示されるレイアウト画像の表示例１を示す図である。
【図９】表示装置に表示されるレイアウト画像の表示例２を示す図である。
【図１０】表示装置に表示されるレイアウト画像の表示例３を示す図である。
【図１１】表示装置に表示されるレイアウト画像の表示例４を示す図である。
【図１２】表示装置に表示されるレイアウト画像の表示例５を示す図である。
【図１３】表示装置に表示されるレイアウト画像の表示例６を示す図である。
【図１４】表示装置に表示されるレイアウト画像の表示例７を示す図である。
【図１５】表示装置に表示されるレイアウト画像の表示例８を示す図である。
【図１６】表示装置に表示されるレイアウト画像の表示例９を示す図である。
【図１７】表示装置に表示されるレイアウト画像の表示例１０を示す図である。
【図１８】表示装置に表示されるレイアウト画像の表示例１１を示す図である。
【図１９】標準の給油ポイント状態の表示例を示す図である。
【図２０】給油状況表示Ａ２の幅寸法を狭くした場合の表示例を示す図である。
【図２１】給油状況表示Ａ２の幅寸法をさらに狭くした場合の表示例を示す図である。
【図２２】標準の表示例よりも高さを低くした場合の表示例を示す図である。
【図２３】計量機１１の構成を示す平面図である。
【図２４】他の形式の計量機を示す平面図である。
【図２５】計量機と設定器との関係をセルフサービスユニットで管理するデータを示す図である。
【図２６】変形例のセルフサービスユニットで実行される制御処理を説明するためのフローチャートである。
【符号の説明】
１１1 〜１１n   計量機
１２1 〜１２n   セルフサービスユニット
１３  ＰＯＳ端末機
１４  計量機制御装置
１５  演算装置
１６  表示装置
１７  入力装置
１８  記憶装置
１９  シリアル通信インターフェイス
２０  パラレル入出力インターフェイス
２１  設定器
２２  プリンタ
２５  レイアウト画像
２６  レイアウト設定画面
２７  行数入力エリア
２８  行数変更釦
２９  列数入力エリア
３０  列数変更釦
３１  灯油計量機入力エリア
３２  灯油計量機変更釦
３３  プレビューエリア
３４  リセット釦
３５  設定釦
３６  キャンセル釦
５１〜５６，６２〜６５，７２，８２〜８５，９２〜９７，１０２，１０３  給油ノズル
６１，７１，８１，９１，１０１  計量機
１０５，１０６  データファイル
【図１】
0003954181.tif 000002
【図２】
0003954181.tif 000003
【図３】
0003954181.tif 000004
【図４】
0003954181.tif 000005
【図５】
0003954181.tif 000006
【図６】
0003954181.tif 000007
【図７】
0003954181.tif 000008
【図８】
0003954181.tif 000009
【図９】
0003954181.tif 000010
【図１０】
0003954181.tif 000011
【図１１】
0003954181.tif 000012
【図１２】
0003954181.tif 000013
【図１３】
0003954181.tif 000014
【図１４】
0003954181.tif 000015
【図１５】
0003954181.tif 000016
【図１６】
0003954181.tif 000017
【図１７】
0003954181.tif 000018
【図１８】
0003954181.tif 000019
【図１９】
0003954181.tif 000020
【図２０】
0003954181.tif 000021
【図２１】
0003954181.tif 000022
【図２２】
0003954181.tif 000023
【図２３】
0003954181.tif 000024
【図２４】
0003954181.tif 000025
【図２５】
0003954181.tif 000026
【図２６】
0003954181.tif 000027